(57)【要約】【課題】混合気を燃焼させるエンジン本体を含むパワーユニットの、実使用での燃費性能を向上させる。【解決手段】カプセル装置３０は、自動車１の前室３に設けられて混合気をエンジン本体１１で燃焼させるパワーユニットを有する自動車１についての、少なくともエンジン本体１１を囲う被覆ケース部材３１と、エンジン本体１１の下部に突出させてエンジン本体１１と一体的に設けられ、エンジン本体１１を循環するオイルを蓄えるオイルパン１９と、被覆ケース部材３１についてのオイルパン１９の近くに設けられる排気開口部３５と、排気開口部３５を閉じるように可動可能に設けられる排気開閉部材３６と、排気開閉部材３６を制御して排気開口部３５を開く制御部４３と、を有する。【選択図】図２
2019064337.tif 000002
【特許請求の範囲】
【請求項１】
車両の房室に設けられて混合気をエンジン本体で燃焼させるパワーユニットを有する車両についての、少なくとも前記エンジン本体を囲うカプセル構造と、
前記エンジン本体の下部に突出させて前記エンジン本体と一体的に設けられ、前記エンジン本体を循環するオイルを蓄えるオイルパンと、
前記カプセル構造についての前記オイルパンの近くに設けられる排気開口部と、
前記排気開口部を閉じるように可動可能に設けられる排気開閉部材と、
前記排気開閉部材を制御して前記排気開口部を開く制御部と、
を有する、
車両のパワーユニットのカプセル装置。
【請求項２】
前記カプセル構造の内部を、前記エンジン本体が存在するメイン空間と前記メイン空間の下側において前記オイルパンが存在する下部空間とに仕切る仕切部材と、
前記仕切部材に形成される仕切開口部と、
前記仕切開口部を閉じるように可動可能に設けられる仕切開閉部材と、
前記仕切開閉部材を制御して前記仕切開口部を開く制御部と、
を有する、
請求項１記載の車両のパワーユニットのカプセル装置。
【請求項３】
前記制御部は、少なくとも、前記エンジン本体若しくは前記メイン空間の第一温度、および前記オイルパン、前記オイル若しくは前記下部空間の第二温度に基づいて、前記排気開閉部材および前記仕切開閉部材を制御する、
請求項２記載の車両のパワーユニットのカプセル装置。
【請求項４】
前記制御部は、前記車両の少なくとも運転継続中の一時的なものを除いた停車中または前記パワーユニットの停止中の間は、前記排気開閉部材を制御して前記排気開口部を閉じて前記カプセル構造を密閉する、
請求項１から３のいずれか一項記載の車両のパワーユニットのカプセル装置。
【請求項５】
前記制御部は、
第二温度が、前記オイルに適した温度範囲より低い場合には前記排気開閉部材を制御して前記排気開口部を閉じ、
前記第二温度が、前記オイルに適した温度範囲またはそれ以上の場合には前記排気開閉部材を制御して前記排気開口部を開く、
請求項１から４のいずれか一項記載の車両のパワーユニットのカプセル装置。
【請求項６】
前記制御部は、
第二温度が、前記オイルに適した温度範囲より低い状態において、第一温度が所定の冷却温度に達した場合、前記排気開閉部材により前記排気開口部を閉じたまま仕切開閉部材を制御して仕切開口部を開く、
請求項１から５のいずれか一項記載の車両のパワーユニットのカプセル装置。
【請求項７】
前記制御部は、
第二温度が、前記オイルに適した温度範囲またはそれ以上の状態において、第一温度が所定の冷却温度に達した場合、前記排気開閉部材を制御して前記排気開口部を開くとともに仕切開閉部材を制御して仕切開口部を開く、
請求項１から６のいずれか一項記載の車両のパワーユニットのカプセル装置。
【請求項８】
前記排気開閉部材および仕切開閉部材の中の少なくとも前記排気開閉部材は、前記カプセル構造に用いる被覆部材と一体的に設けられる、
請求項１から７のいずれか一項記載の車両のパワーユニットのカプセル装置。
【請求項９】
前記カプセル構造についての前記オイルパンより前側となる位置に設けられる吸気開口部と、
前記吸気開口部を閉じるように可動可能に設けられる吸気開閉部材と、
前記吸気開閉部材を制御して前記吸気開口部を開く制御部と、
を有する、
請求項１から７のいずれか一項記載の車両のパワーユニットのカプセル装置。
【請求項１０】
前記カプセル構造は、前記オイルパンより後ろ側の下面に突起部または凹部を有し、
前記排気開口部は、前記突起部または前記凹部に設けられる、
請求項９記載の車両のパワーユニットのカプセル装置。
【請求項１１】
前記カプセル構造は、前記車両の中において、少なくとも前記エンジン本体を囲う被覆ケース部材を有し、
前記被覆ケース部材は、前記エンジン本体とともに、前記車両の骨格部材または構造部材に取り付けて支持される、
請求項１から１０のいずれか一項記載の車両のパワーユニットのカプセル装置。
【請求項１２】
前記カプセル構造の外側に設けられる前記排気開閉部材は、前記車両の骨格部材または構造部材より内側に位置するように開閉する、
請求項１から１１のいずれか一項記載の車両のパワーユニットのカプセル装置。
【請求項１３】
前記カプセル構造は、前記車両において、少なくとも前記エンジン本体を含む、オイルにより潤滑される機器を囲う、
請求項１から１２のいずれか一項記載の車両のパワーユニットのカプセル装置。
【請求項１４】
前記カプセル構造は、前記車両において、前記パワーユニットについての、排気管、ターボ機器、マフラ、および触媒機器を外にするように設けられる、
請求項１から１３のいずれか一項記載の車両のパワーユニットのカプセル装置。
【請求項１５】
前記カプセル構造は、前記車両に設けられる前記エンジン本体、エンジン補器、トランスミッション、およびハイブリッド機器の中の、少なくとも前記エンジン本体を囲う、
請求項１から１４のいずれか一項記載の車両のパワーユニットのカプセル装置。
【発明の詳細な説明】
【技術分野】
【０００１】
本発明は、車両のエンジン本体といったパワーユニットを囲うカプセル装置に関する。
【背景技術】
【０００２】
自動車では、近年、パワーユニットとしてバッテリおよびモータを使用する電気自動車の開発が進められている。しかしながら、電気自動車の本格的な実用化には今後の開発に委ねられている状況にある。
このため、現在および少なくとも近い未来においては、ハイブリッド自動車を含めて、混合気をエンジン本体で燃焼させる内燃機関の利用がなくなるとは考えにくい。
【先行技術文献】
【特許文献】
【０００３】
【特許文献１】特開２０１３−１１９３８４号公報
【発明の概要】
【発明が解決しようとする課題】
【０００４】
ところで、混合気を燃焼させるエンジン本体をパワーユニットとして用いる場合、従来より燃費性能を向上させることが求められている。このために、特許文献１のようにエンジン本体を、カプセル構造で覆うことが考えられる。そして、特許文献１では、カプセル構造の前面流入口を、初期始動やキーオフ（Ｋｅｙ−Ｏｆｆ）時には閉鎖状態に制御し、車両走行中の冷却時には開放状態に制御する。これにより、停止中のエンジン本体の温度を閉じたカプセル構造により長期にわたって維持し、その後に、冷却されていない状態のエンジン本体において再始動をすることができる。エンジン本体が暖められた状態で再始動されることにより、冷却された状態で再始動される場合と比べて燃費性能を改善できる。
しかしながら、特許文献１では、カプセル構造の前面に設けられた流入口から外気が流入する。この場合、前面の流入口の内側に位置するエンジン本体を流入外気により冷却できるが、一般的にオイルを溜めるためにエンジン本体の下部に設けられるオイルパンを冷却することが難しいと考えられる。そして、オイルパンを好適に冷却することができないと、エンジン本体内を循環させるオイルも好適に冷却され得ず、連続した運転によりオイルが過熱されてしまう可能性が生じる。過熱されて粘性が低下したオイルでエンジン本体を潤滑する場合、たとえばエンジン本体での摩擦が大きくなり、実使用での燃費性能が低下してしまうと考えられる。
【０００５】
このように自動車といった車両では、混合気を燃焼させるエンジン本体を含むパワーユニットの、実使用での性能を向上させることが求められている。
【課題を解決するための手段】
【０００６】
本発明に係る車両のパワーユニットのカプセル装置は、車両の房室に設けられて混合気をエンジン本体で燃焼させるパワーユニットを有する車両についての、少なくとも前記エンジン本体を囲うカプセル構造と、前記エンジン本体の下部に突出させて前記エンジン本体と一体的に設けられ、前記エンジン本体を循環するオイルを蓄えるオイルパンと、前記カプセル構造についての前記オイルパンの近くに設けられる排気開口部と、前記排気開口部を閉じるように可動可能に設けられる排気開閉部材と、前記排気開閉部材を制御して前記排気開口部を開く制御部と、を有する。
【０００７】
好適には、前記カプセル構造の内部を、前記エンジン本体が存在するメイン空間と前記メイン空間の下側において前記オイルパンが存在する下部空間とに仕切る仕切部材と、前記仕切部材に形成される仕切開口部と、前記仕切開口部を閉じるように可動可能に設けられる仕切開閉部材と、前記仕切開閉部材を制御して前記仕切開口部を開く制御部と、を有する、とよい。
【０００８】
好適には、前記制御部は、少なくとも、前記エンジン本体若しくは前記メイン空間の第一温度、および前記オイルパン、前記オイル若しくは前記下部空間の第二温度に基づいて、前記排気開閉部材および前記仕切開閉部材を制御する、とよい。
【０００９】
好適には、前記制御部は、前記車両の少なくとも運転継続中の一時的なものを除いた停車中または前記パワーユニットの停止中の間は、前記排気開閉部材を制御して前記排気開口部を閉じて前記カプセル構造を密閉する、とよい。
【００１０】
好適には、前記制御部は、前記第二温度が、前記オイルに適した温度範囲より低い場合には前記排気開閉部材を制御して前記排気開口部を閉じ、前記第二温度が、前記オイルに適した温度範囲またはそれ以上の場合には前記排気開閉部材を制御して前記排気開口部を開く、とよい。
【００１１】
好適には、前記制御部は、前記第二温度が、前記オイルに適した温度範囲より低い状態において、前記第一温度が所定の冷却温度に達した場合、前記排気開閉部材により前記排気開口部を閉じたまま前記仕切開閉部材を制御して前記仕切開口部を開く、とよい。
【００１２】
好適には、前記制御部は、前記第二温度が、前記オイルに適した温度範囲またはそれ以上の状態において、前記第一温度が所定の冷却温度に達した場合、前記排気開閉部材を制御して前記排気開口部を開くとともに前記仕切開閉部材を制御して前記仕切開口部を開く、とよい。
【００１３】
好適には、前記排気開閉部材および前記仕切開閉部材の中の少なくとも前記排気開閉部材は、前記カプセル構造に用いる被覆部材と一体的に設けられる、とよい。
【００１４】
好適には、前記カプセル構造についての前記オイルパンより前側となる位置に設けられる吸気開口部と、前記吸気開口部を閉じるように可動可能に設けられる吸気開閉部材と、前記吸気開閉部材を制御して前記吸気開口部を開く制御部と、を有する、とよい。
【００１５】
好適には、前記カプセル構造は、前記オイルパンより後ろ側の下面に突起部または凹部を有し、前記排気開口部は、前記突起部または前記凹部に設けられる、とよい。
【００１６】
好適には、前記カプセル構造は、前記車両の中において、少なくとも前記エンジン本体を囲う被覆ケース部材を有し、前記被覆ケース部材は、前記エンジン本体とともに、前記車両の骨格部材または構造部材に取り付けて支持される、とよい。
【００１７】
好適には、前記カプセル構造の外側に設けられる前記排気開閉部材は、前記車両の骨格部材または構造部材より内側に位置するように開閉する、とよい。
【００１８】
好適には、前記カプセル構造は、前記車両において、少なくとも前記エンジン本体を含む、オイルにより潤滑される機器を囲う、とよい。
【００１９】
好適には、前記カプセル構造は、前記車両において、前記パワーユニットについての、排気管、ターボ機器、マフラ、および触媒機器を外にするように設けられる、とよい。
【００２０】
好適には、前記カプセル構造は、前記車両に設けられる前記エンジン本体、エンジン補器、トランスミッション、およびハイブリッド機器の中の、少なくとも前記エンジン本体を囲う、とよい。
【発明の効果】
【００２１】
本発明では、パワーユニットを有する車両についての少なくともエンジン本体をカプセル構造により囲う。これにより、カプセル構造の内側のエンジン本体の温度が変化し難くできる。
しかも、カプセル構造についての、エンジン本体の下部に突出させてエンジン本体と一体的に設けられるオイルパンの近くには排気開口部が設けられ、排気開閉部材を制御部により制御することにより排気開口部を開くことができる。これにより、エンジン本体を循環するオイルやこれを蓄えるオイルパンの温度が上昇する場合には、排気開口部を開いて、これらを外気で冷却することができる。
よって、本発明では、動作中のエンジン本体を循環するオイルが過熱されてしまうことを抑制しつつ、たとえば停車中のエンジン本体をカプセル構造で囲って冷え難くして、エンジン本体の再始動を開始する際の燃費性能などの悪化を抑制できる。混合気を燃焼させるエンジン本体を含むパワーユニットの、実使用での性能を向上させることができる。
【図面の簡単な説明】
【００２２】
【図１】図１は、本発明の実施形態に係る自動車の説明図である。
【図２】図２は、図１の自動車に設けられるパワーユニットおよびカプセル装置の説明図である。
【図３】図３は、図２のカプセル装置の詳細な構成の説明図である。
【図４】図４は、図２の制御部による開口部の開閉制御のフローチャートである。
【図５】図５は、カプセル装置の下面形状の変形例を示す説明図である。
【図６】図６は、ハイブリッド自動車でのパワーユニットおよびカプセル装置の説明図である。
【発明を実施するための形態】
【００２３】
以下、本発明の実施形態を、図面に基づいて説明する。
【００２４】
図１は、本発明の実施形態に係る自動車１の説明図である。
自動車１は、車両の例である。図１（Ａ）は、模式的な自動車１の側面透視図である。図１（Ｂ）は、模式的な自動車１の前面透視図である。
【００２５】
図１の自動車１は、車体２を有する。車体２の前部には、前室３が設けられる。前室３には、自動車１の骨格部材としての一対のフロントビーム５が延在する。また、前室３と乗員室４との間には、それらの隔壁（構造部材）としてのトーボード６が設けられる。
前室３には、エンジン本体１１、トランスミッション１２などのパワーユニットが配置される前室３が設けられる。また、車体２の床下には、前室３から車体２の後側へ向かってプロペラシャフト１３が設置される。プロペラシャフト１３の後端には、後側の車輪１５（車軸）と連結されるリアディファレンシャルギアボックス１４が設けられる。
エンジン本体１１は、エアクリーナ１６および吸気管１７を通じて吸気される外気とガソリンとの混合気を燃焼室において点火燃焼させ、燃焼した混合気の膨張圧力によりピストンをシリンダ内で降下させ、ピストンに連結された出力軸を回転させる。また、燃焼した混合気は、開いた排気弁および排気管１８を通じて外へ排気される。
エンジン本体１１で発生させた出力軸の回転駆動力は、トランスミッション１２で減速され、プロペラシャフト１３、リアディファレンシャルギアボックス１４、およびリアアクスルシャフトを通じて後側の車輪１５へ伝達される。また、回転駆動力の一部は、トランスミッション１２で分岐され、図示外のフロントアクスルシャフトを通じて前側の車輪１５へ伝達される。
【００２６】
ところで、自動車１では、近年、パワーユニットとしてバッテリおよびモータを使用する電気自動車の開発が進められている。しかしながら、電気自動車の本格的な実用化には今後の開発に委ねられている状況にある。
このため、現在および少なくとも近い未来においては、ハイブリッド自動車を含めて、混合気をエンジン本体１１で燃焼させる内燃機関の利用がなくなるとは考えにくい。
このため、今後もさらに、混合気をエンジン本体１１で燃焼させる内燃機関についての燃費性能を向上させることが求められる。エンジン本体１１を含むパワーユニットの、実使用での燃費性能を向上させることが求められている。
【００２７】
図２は、図１の自動車１に設けられるパワーユニットおよびカプセル装置３０の説明図である。
【００２８】
図２には、自動車１に設けられるパワーユニットとして、エンジン本体１１、オイルパン１９、ラジエタ２０、エアクリーナ１６、吸気管１７、排気管１８、ターボ機器２１、触媒機器２２、トランスミッション１２、プロペラシャフト１３、リアディファレンシャルギアボックス１４、が図示されている。
オイルパン１９は、エンジン本体１１の下部に突出させてエンジン本体１１と一体的に形成されている。エンジン本体１１およびトランスミッション１２は、オイルにより潤滑される機器である。
ラジエタ２０、エアクリーナ１６、吸気管１７、排気管１８、ターボ機器２１、触媒機器２２は、エンジン本体１１とともに用いられるエンジン補器である。エンジン補器には、特に図示をしないがこの他にもたとえば、発電機、バッテリ、ディストリビュータ、インジェクタ、燃料タンク、ポンプ、などがある。これらのエンジン補器は、エンジン本体１１の作動を助け、エンジン本体１１の状態および燃焼状態を燃焼に適した範囲内とするために、エンジン本体１１とともに用いられるものである。
【００２９】
図２には、さらにエンジン本体１１といったパワーユニットを囲うカプセル装置３０が図示されている。
図３は、図２のカプセル装置３０の詳細な構成の説明図である。
カプセル装置３０は、仕切部材３２を有する被覆ケース部材３１、吸気開口部３３、吸気開閉部材３４、排気開口部３５、排気開閉部材３６、仕切開口部３８、仕切開閉部材３９、メイン温度センサ４０、下部温度センサ４１、外気温度センサ４２、制御部４３、を有する。
【００３０】
被覆ケース部材３１は、略箱形状を有し、パワーユニットについてのオイルパン１９が一体化されたエンジン本体１１およびトランスミッション１２を囲う。被覆ケース部材３１は、たとえば断熱材で形成される。被覆ケース部材３１は、エンジン本体１１およびトランスミッション１２より一回り大きいサイズの箱型に形成される。被覆ケース部材３１から外へ突出するプロペラシャフト１３、吸気管１７、排気管１８の周囲には、被覆ケース部材３１の密閉性を確保するために、たとえばゴム材や樹脂材で形成された図示外のブーツが設けられる。
これにより、被覆ケース部材３１は、エンジン本体１１およびトランスミッション１２との間に空気層を確保しつつ、これらの周囲を密閉するように囲う。エンジン本体１１に設けられるインジェクタ、オイルパン１９も、被覆ケース部材３１に囲われる。オイルにより潤滑される機器を囲うことができる。
また、排気管１８の略全体、ターボ機器２１、触媒機器２２、エアクリーナ１６、吸気管１７の略全体は、被覆ケース部材３１の外に設けられる。これにより、排気される燃焼後の混合気により高温になる排気系の温度が、被覆ケース部材３１の内側に溜まらないようにできる。
なお、発電機、バッテリ、ディストリビュータ、燃料タンク、ポンプなどのエンジン補器は、被覆ケース部材３１の内側に設けられても、外側に設けられてもよい。
そして、被覆ケース部材３１は、図１に示すように前室３において、エンジン本体１１と重ねて、エンジン本体１１と同じ位置で、車体２の一対のフロントビーム５の上に取り付けて支持される。被覆ケース部材３１は、図１（Ｂ）に示すように一対のフロントビーム５から下へ突出することがないように設けられる。車体２の最低地上高は、被覆ケース部材３１が無い場合と同じになる。
【００３１】
仕切部材３２は、被覆ケース部材３１の内部を、メイン空間４４と、メイン空間４４の下側の下部空間４５とに仕切る。仕切部材３２は、被覆ケース部材３１と同様に断熱材で形成されてよい。
下部空間４５には、エンジン本体１１の下部から下へ突出するオイルパン１９が配置される。
メイン空間４４には、オイルパン１９以外の部材、たとえばエンジン本体１１やトランスミッション１２が配置される。
これにより、エンジン本体１１に循環されるオイルを蓄えるオイルパン１９は、下部空間４５において、他の部材とは分けて、被覆ケース部材３１に収容される。
【００３２】
吸気開口部３３は、図３に示すように被覆ケース部材３１についての下部空間４５の前面に形成される。
これにより、吸気開口部３３には、走行中の車体２では、前から外気が吹き付ける。
【００３３】
吸気開閉部材３４は、被覆ケース部材３１の吸気開口部３３の上外側において、被覆ケース部材３１に取り付けて一体的に設けられる。吸気開閉部材３４は、被覆ケース部材３１に対して上へ回動可能に設けられる。
図３（Ａ）は、吸気開閉部材３４を下げた状態である。この状態では、被覆ケース部材３１の吸気開口部３３が閉じられる。被覆ケース部材３１は密閉され、被覆ケース部材３１の内側の空間は、外側から分離され得る。
図３（Ｂ）は、吸気開閉部材３４を上げた状態である。この状態では、被覆ケース部材３１の吸気開口部３３が開いている。吸気開口部３３を通じて被覆ケース部材３１の内側と外側とが連通し得る。
そして、このように吸気開閉部材３４を、被覆ケース部材３１の吸気開口部３３の上外側において上へ回動可能に取り付けることにより、吸気開閉部材３４は、被覆ケース部材３１より下側へ突出しないようになる。図１に示すように、吸気開閉部材３４は、車体２の一対のフロントビーム５から下へ突出しないように内側に収めて設けられる。
なお、被覆ケース部材３１の前側に、高温になる排気管１８などの排気系部材が存在する場合、吸気開口部３３は好ましくは排気系部材の後側とならない位置が望ましい。図１においても、吸気開口部３３は、排気管１８と車幅方向にずらした位置に形成されている。
また、被覆ケース部材３１の前側の幅全体に、高温になる排気管１８などの排気系部材が存在する場合、吸気開口部３３を排気系部材と異なる高さ位置に設ければよい。または、吸気開口部３３を、オイルパン１９より前側となるように、被覆ケース部材３１の側面に設けてもよい。
【００３４】
排気開口部３５は、図３に示すように被覆ケース部材３１についての下部空間４５の下面に形成される。排気開口部３５は、オイルパン１９の近くであって、オイルパン１９の後側となる位置に設けられる。
これにより、たとえば吸気開口部３３と排気開口部３５とがともに開いている場合、下部空間４５の前から入った外気は、オイルパン１９を通過し、排気開口部３５から下部空間４５の外へ排気され得る。
【００３５】
排気開閉部材３６は、被覆ケース部材３１の下部空間４５において、被覆ケース部材３１に取り付けて一体的に設けられる。排気開閉部材３６は、被覆ケース部材３１の下部空間４５の底面に沿ってスライド移動可能に設けられる。
図３（Ａ）は、排気開閉部材３６を後ろへ移動させた状態である。この状態では、被覆ケース部材３１の排気開口部３５が閉じられる。被覆ケース部材３１は密閉され、被覆ケース部材３１の内側の空間は、外側から分離され得る。
図３（Ｂ）は、排気開閉部材３６を前へ移動させた状態である。この状態では、被覆ケース部材３１の排気開口部３５が開いている。排気開口部３５を通じて被覆ケース部材３１の内側と外側とが連通し得る。
そして、このように排気開閉部材３６を、被覆ケース部材３１の開口部３２の上側において前後方向へスライド可能に取り付けることにより、排気開閉部材３６は、被覆ケース部材３１より下側へ突出しないようになる。排気開閉部材３６は、車体２の一対のフロントビーム５から下へ突出しないように内側に収めて設けられる。
【００３６】
仕切開口部３８は、図３に示すように被覆ケース部材３１の仕切部材３２に形成される。仕切開口部３８は、オイルパン１９の近くであって、オイルパン１９の後側となる位置に設けられる。
これにより、たとえば仕切開口部３８と排気開口部３５とがともに開いている場合、メイン空間４４内の空気は、仕切開口部３８および排気開口部３５を通じて、被覆ケース部材３１の下部空間４５の外へ排気され得る。また、この際、メイン空間４４内の空気が、オイルパン１９に触れにくくすることができる。
【００３７】
仕切開閉部材３９は、被覆ケース部材３１の下部空間４５の上面において、被覆ケース部材３１に取り付けて一体的に設けられる。仕切開閉部材３９は、被覆ケース部材３１の下部空間４５の上面に沿ってスライド移動可能に設けられる。
図３（Ａ）は、仕切開閉部材３９を前へ移動させた状態である。この状態では、被覆ケース部材３１の仕切開口部３８が閉じられる。被覆ケース部材３１は密閉され、被覆ケース部材３１の内側の空間は、外側から分離され得る。
図３（Ｂ）は、仕切開閉部材３９を後ろへ移動させた状態である。この状態では、被覆ケース部材３１の仕切開口部３８が開いている。仕切開口部３８を通じてメイン空間４４と下部空間４５とが連通し得る。
【００３８】
メイン温度センサ４０は、被覆ケース部材３１のメイン空間４４に配置され、メイン空間４４の内側の温度を検出する。ここでは、メイン温度センサ４０は、エンジン本体１１の外面に接触して設けられる。これにより、メイン温度センサ４０は、メイン空間４４の内側の温度として、エンジン本体１１の温度を検出できる。
【００３９】
下部温度センサ４１は、被覆ケース部材３１の下部空間４５に配置され、下部空間４５の内側の温度を検出する。ここでは、下部温度センサ４１は、オイルパン１９の外面に接触して設けられる。これにより、下部温度センサ４１は、下部空間４５の内側の温度として、オイルパン１９またはオイルの温度を検出できる。
【００４０】
外気温度センサ４２は、被覆ケース部材３１の外側に配置され、被覆ケース部材３１の外側の温度を検出する。
【００４１】
制御部４３には、メイン温度センサ４０、下部温度センサ４１、外気温度センサ４２、吸気開閉部材３４、排気開閉部材３６、仕切開口部３８が接続される。制御部４３は、自動車１の状態として、メイン温度センサ４０、下部温度センサ４１、および外気温度センサ４２により計測される被覆ケース部材３１の内外の温度の相関関係に基づいて、吸気開閉部材３４、排気開閉部材３６、および仕切開口部３８を制御し、吸気開口部３３、排気開口部３５、および仕切開口部３８といった各種の開口部の開閉を個別に制御する。
制御部４３は、たとえばマイクロコンピュータにより実現できる。専用回路として被覆ケース部材３１に取り付けて設けられても、自動車１を制御するＥＣＵ（Ｅｎｇｉｎｅ  Ｃｏｎｔｒｏｌ  Ｕｎｉｔ）の機能として設けられてもよい。
【００４２】
図４は、図２の制御部４３による各種の開口部の開閉制御のフローチャートである。
制御部４３は、図４の開閉制御を繰り返し実行する。
【００４３】
図４の開閉制御において、制御部４３は、まず、エンジン本体１１が動作しているか否かを確認する（ステップＳＴ１）。制御部４３は、ＥＣＵによるエンジン本体１１の制御情報を取得し、エンジンが動作しているか否かを確認する。
エンジン本体１１が動作していない場合、すなわちエンジン本体１１が停止している場合、制御部４３は、すべての開口部を閉じる（ステップＳＴ２）。これにより、被覆ケース部材３１は密閉される。被覆ケース部材３１の内部は断熱構造により保温される。
なお、少なくとも運転継続中に自動車１が停車した場合に、エンジン本体１１が一時的に停止することがある。この場合、エンジン本体１１が動作していると判断しても、停止していると判断してもよいが、好ましくは運転中としてエンジン本体１１が動作していると判断するとよい。これにより、後述するように運転継続中に自動車１が一時的に停車した場合において開口部３２は開いたままの状態に維持することができる。運転継続中の短時間の停車においてエンジン本体１１の温度が大きく上昇してしまうことを防ぐことができる。
【００４４】
エンジン本体１１が動作している場合、制御部４３は、メイン温度センサ４０のメイン温度、下部温度センサ４１の下部温度、および外気温度センサ４２の外気温を取得する（ステップＳＴ３）。
そして、制御部４３は、これらの温度の相関関係に基づいて各種の開口部を個別に開閉する制御を開始する。
【００４５】
制御部４３は、まず、下部温度と、暖気を必要とする最低温度とを比較する（ステップＳＴ４）。最低温度は、たとえばエンジン本体１１やトランスミッション１２についての運転に適した最小の温度でよい。具体的にはたとえば、これらで使用するオイルの粘性が、運転に適した所望のものより高くなる温度でよい。
下部温度が最低温度より低い場合、制御部４３は、吸気開閉部材３４および排気開閉部材３６を制御し、吸気開口部３３および排気開口部３５を閉じる（ステップＳＴ５）。これにより、下部空間４５は、閉じた状態になる。オイルパン１９およびオイルは、エンジン本体１１の発熱により暖められる。
【００４６】
吸気開閉部材３４および排気開閉部材３６を制御した後、制御部４３は、メイン温度と、冷却温度とを比較する（ステップＳＴ６）。冷却温度は、たとえばエンジン本体１１やトランスミッション１２についての運転に適した最大の温度でよい。具体的にはたとえば、これらで使用するオイルの粘性が、運転に適した所望のものより低くなる温度でよい。
メイン温度が冷却温度以上である場合、制御部４３は、仕切開閉部材３９を制御し、仕切開口部３８を開く（ステップＳＴ７）。これにより、エンジン本体１１やトランスミッション１２の熱により暖められたメイン空間４４の空気が、下部空間４５へ流入し得る。下部空間４５およびその内部に設けられるオイルパン１９は、エンジン本体１１の発熱により暖められる。
メイン温度が冷却温度より小さい場合、制御部４３は、仕切開閉部材３９を制御し、仕切開口部３８を閉じる（ステップＳＴ８）。これにより、メイン空間４４の空気が、流出しないようにできる。メイン空間４４およびその内部に設けられるエンジン本体１１やトランスミッション１２は、それらの熱により暖められる。
【００４７】
これに対し、下部温度が最低温度以上である場合、制御部４３は、吸気開閉部材３４および排気開閉部材３６を制御し、吸気開口部３３および排気開口部３５を開く（ステップＳＴ９）。これにより、下部空間４５では、前面の吸気開口部３３から外気が流入し、オイルパン１９およびオイルは、外気により冷却され得る。
【００４８】
吸気開閉部材３４および排気開閉部材３６を制御した後、制御部４３は、メイン温度と、冷却温度とを比較する（ステップＳＴ１０）。
メイン温度が冷却温度以上である場合、制御部４３は、仕切開閉部材３９を制御し、仕切開口部３８を開く（ステップＳＴ１１）。これにより、エンジン本体１１やトランスミッション１２の熱により暖められたメイン空間４４の空気は、下部空間４５を通じて、排気開口部３５から外へ排気される。
メイン温度が冷却温度より小さい場合、制御部４３は、仕切開閉部材３９を制御し、仕切開口部３８を閉じる（ステップＳＴ８）。これにより、メイン空間４４の空気が、流出しないようにできる。メイン空間４４およびその内部に設けられるエンジン本体１１やトランスミッション１２は、それらの熱により暖められる。
【００４９】
以上のように、本実施形態では、パワーユニットを有する自動車１についての少なくともエンジン本体１１を、空気層を挟むように間隔をあけて被覆ケース部材３１のカプセル構造により囲う。これにより、カプセル構造の内側のエンジン本体１１の温度が変化し難くできる。
しかも、カプセル構造についての、エンジン本体１１の下部に突出させてエンジン本体１１と一体的に設けられるオイルパン１９の近くの下側には排気開口部３５が設けられ、排気開閉部材３６を制御部４３により制御することにより排気開口部３５を開くことができる。これにより、エンジン本体１１を循環するオイルやこれを蓄えるオイルパン１９の温度が上昇する場合には、排気開口部３５を開いて、これらを外気で冷却することができる。
よって、本実施形態では、動作中のエンジン本体１１を循環するオイルが過熱されてしまうことを抑制しつつ、たとえば停車中のエンジン本体１１をカプセル構造で囲って冷え難くして、エンジン本体１１の再始動を開始する際の燃費性能などの悪化を抑制できる。混合気を燃焼させるエンジン本体１１を含むパワーユニットの、実使用での性能を向上させることが求められている。
【００５０】
本実施形態では、カプセル構造の内部に、エンジン本体１１が存在するメイン空間４４とメイン空間４４の下側においてオイルパン１９が存在する下部空間４５とに仕切る断熱性の仕切部材３２を設ける。これにより、オイルパン１９およびそこに蓄えられるオイルについての温度を、エンジン本体１１やそれが存在するメイン空間４４とは異なるようにすることが可能になる。エンジン本体１１の熱が直接的に、オイルパン１９およびそこに蓄えられるオイルの温度上昇に作用し難くできる。
しかも、仕切部材３２には、オイルパン１９より後側に仕切開口部３８が形成され、制御部４３が自動車１の状態に応じて仕切開閉部材３９を制御することにより、仕切開口部３８を開くことができる。よって、たとえばオイルパン１９やオイルがエンジン本体１１の熱を必要とする場合や、オイルパン１９の温度上昇が問題とならない場合などにおいて、仕切開口部３８を開いて、エンジン本体１１およびそれが存在するメイン空間４４から熱を出すことができる。
【００５１】
本実施形態では、制御部４３は、少なくとも、カプセル構造の外側の外気温、エンジン本体１１若しくはメイン空間４４のメイン温度、およびオイルパン１９、オイル若しくは下部空間４５の下部温度、並びに、これらの相関関係に基づいて、排気開閉部材３６および仕切開閉部材３９を制御する。これにより、エンジン本体１１の温度、およびオイルパン１９若しくはオイルの温度を個別に、仕切開口部３８および排気開口部３５の開閉制御により適宜制御できる。
【００５２】
たとえば、自動車１の停車中またはパワーユニットの停止中には、排気開閉部材３６を制御して排気開口部３５を閉じる。これにより、カプセル構造を密閉し、停車中または停止中にエンジン本体１１などが冷却され難くできる。
【００５３】
この他にもたとえば、下部温度が、オイルに適した温度範囲より低い場合には排気開閉部材３６を制御して排気開口部３５を閉じ、下部温度が、オイルに適した温度範囲またはそれ以上の場合には排気開閉部材３６を制御して排気開口部３５を開く。これにより、オイルパン１９若しくはオイルの温度を、エンジン本体１１の状態にかかわらず、オイルに適した温度範囲に加熱し、オイルに適した温度範囲に維持するように冷却できる。
【００５４】
この他にもたとえば、下部温度が、オイルに適した温度範囲より低い状態において、メイン温度が所定の冷却温度に達した場合、排気開閉部材３６により排気開口部３５を閉じたまま仕切開閉部材３９を制御して仕切開口部３８を開く。これにより、エンジン本体１１の熱により、オイルパン１９若しくはオイルの温度を加熱できる。
【００５５】
この他にもたとえば、下部温度が、オイルに適した温度範囲またはそれ以上の状態において、メイン温度が所定の冷却温度に達した場合、排気開閉部材３６を制御して排気開口部３５を開くとともに仕切開閉部材３９を制御して仕切開口部３８を開く。これにより、エンジン本体１１、オイルパン１９およびオイルが過熱され難くなるように冷却できる。
【００５６】
本実施形態では、排気開閉部材３６および仕切開閉部材３９の中の少なくとも排気開閉部材３６は、カプセル構造に用いる被覆ケース部材３１に取り付けられて被覆ケース部材３１と一体的に設けられる。これにより、排気開閉部材３６や仕切開閉部材３９といった開閉部材を、カプセル構造に用いる被覆ケース部材３１と別に、自動車１の骨格部材または構造部材に取り付けて支持させる必要がない。カプセル装置３０の構造を簡略化できる。
【００５７】
本実施形態では、カプセル構造についてのオイルパン１９の前側に吸気開口部３３を設け、吸気開閉部材３４により吸気開口部３３を開閉する。これにより、カプセル構造内に設けられるオイルパン１９やオイルを、吸気開口部３３から流入する外気により直接的に冷却できる。エンジン本体１１などの冷却に使用された外気ではなく、低い温度の外気により、カプセル構造内に設けられるオイルパン１９やオイルを冷却できる。
【００５８】
本実施形態では、カプセル構造は、自動車１の房室の中において、少なくともエンジン本体１１を囲う被覆ケース部材３１により構成される。そして、被覆ケース部材３１は、エンジン本体１１と重ねて、エンジン本体１１と同じ位置で、自動車１の骨格部材または構造部材に取り付けて支持される。よって、自動車１の骨格部材または構造部材に対して、カプセル構造の部材を、エンジン本体１１などのパワーユニットと別に取り付ける必要はない。カプセル構造を、たとえば自動車１の骨格部材または構造部材に対して独自に取り付けられるエンジンカバーやアンダーカバーなどの被覆部材で構成する場合と比べて、自動車１側において大規模の対策や変更を必要としない。また、カプセル構造そのものを小さくすることができるので、カプセル構造そのものも安価に製造し得る。
また、カプセル構造とともに設けられる排気開閉部材３６や仕切開閉部材３９といった開閉部材は、自動車１の骨格部材または構造部材より内側に収まるように設けられる。これにより、自動車１の車体２の最低地上高などのスペックに大きな影響を与えることなく、自動車１にカプセル構造を設けることができる。
【００５９】
上記実施形態は、本発明の好適な実施形態の例であるが、本発明はこれに限定されるものではなく、発明の要旨を逸脱しない範囲において種々の変形または変更が可能である。
【００６０】
たとえば上記実施形態では、カプセル構造としての被覆ケース部材３１の下面は、基本的に平らな面に形成されている。
この他にもたとえば、被覆ケース部材３１の下面は、カプセル構造での外気の吸排気効率を増減または調整するように凹凸に形成されてもよい。
図５は、カプセル装置３０の下面形状の変形例を示す説明図である。
【００６１】
図５（Ａ）では、カプセル装置３０の下面には、オイルパン１９より後ろ側となる位置に、凹部５１が形成されている。また、排気開口部３５は、凹部５１の頂部に設けられている。
この場合、カプセル装置３０の下面を前から後ろへ向かって流れる空気流により、凹部５１内は負圧となり易い。その結果、凹部５１の頂部の排気開口部３５から空気流が勢いよく吹き出され得る。被覆ケース部材３１の内部の空気は、効率よく排気開口部３５から外へ吹き出す。
図５（Ｂ）では、カプセル装置３０の下面には、オイルパン１９より後ろ側となる位置に、突起部５２が形成されている。また、排気開口部３５は、突起部５２の頂部に設けられている。
この場合、カプセル装置３０の下面を前から後ろへ向かって流れる空気流により、突起部５２の後ろ側は負圧となり易い。その結果、突起部５２の頂部の排気開口部３５から空気流が勢いよく吹き出され得る。被覆ケース部材３１の内部の空気は、効率よく排気開口部３５から外へ吹き出す。
これらのいずれの場合でも、被覆ケース部材３１の内部の空気を排気開口部３５から外へ効率よく吹き出すことができるので、オイルパン１９やエンジン本体１１により加熱された空気は、効率よく排気開口部３５へ引かれ、カプセル構造の外へ排気されるようになる。カプセル構造の内部を効率よく冷却することができる。
特に、カプセル構造の内部を仕切部材３２で仕切って、下部空間４５にオイルパン１９を設け、下部空間４５の前側に吸気開口部３３を設け、下部空間４５の後側に排気開口部３５を設けることにより、下部空間４５内では効率よく外気が流れるようになる。カプセル構造で覆われているにもかかわらず、オイルパン１９およびオイルは効果的に冷却され得る。
【００６２】
上記実施形態では自動車１は、エンジン本体１１による内燃機関のみをパワーユニットを有する。
この他にも自動車１には、内燃機関とともにモータ駆動による電気駆動装置を有するハイブリッド自動車や、電気駆動装置のみを有する電気自動車がある。
【００６３】
図６は、ハイブリッド自動車でのパワーユニットおよびカプセル装置３０の説明図である。
図６には、トランスミッション１２に電気モータ６１が取り付けられている。電気モータ６１には、図示外のコンバータを通じて複数の電池セルが接続される。電気モータ６１を駆動することにより、トランスミッション１２を通じで駆動力をプロペラシャフト１３に伝達させることができる。
このようなパワーユニットの構成である場合、カプセル装置３０の被覆ケース部材３１は、エンジン本体１１、エンジン補器、トランスミッション１２とともに、ハイブリッド機器としての電気モータ６１やコンバータを囲うように設けられてよい。この場合、電気モータ６１やコンバータを、摩擦抵抗などが運転に適した状態になるように暖めることが可能である。また、被覆ケース部材３１の内を二室に分けて、一方にエンジン本体１１などを収め、他方にハイブリッド機器を収めるようにしてもよい。この場合、部屋ごとに個別の温度に保温させることも可能になる。
【符号の説明】
【００６４】
１…自動車（車両）、２…車体、３…前室、４…乗員室、５…フロントビーム、６…トーボード、１１…エンジン本体、１２…トランスミッション、１３…プロペラシャフト、１４…リアディファレンシャルギアボックス、１５…車輪、１６…エアクリーナ、１７…吸気管、１８…排気管、１９…オイルパン、２０…ラジエタ、２１…ターボ機器、２２…触媒機器、３０…カプセル装置、３１…被覆ケース部材（被覆部材）、３２…仕切部材、３３…吸気開口部、３４…吸気開閉部材、３５…排気開口部、３６…排気開閉部材、３８…仕切開口部、３９…仕切開閉部材、４０…メイン温度センサ、４１…下部温度センサ、４２…外気温度センサ、４３…制御部、４４…メイン空間、４５…下部空間、５１…凹部、５２…突起部、６１…電気モータ
【図１】
2019064337.tif 000003
【図２】
2019064337.tif 000004
【図３】
2019064337.tif 000005
【図４】
2019064337.tif 000006
【図５】
2019064337.tif 000007
【図６】
2019064337.tif 000008